(57)【要約】      （修正有）【課題】マスコットキャラクターのイメージを損ない難い軽量の送風式着ぐるみ用送風装置を提供する。【解決手段】送風式着ぐるみ用送風装置３は、本体ケース１０、ファン２０及びモータ３０を備えている。本体ケース１０の少なくとも一部は、多孔質のプラスチックからなり、モータ３０を支持可能な剛性を有する軽量剛性材である。【選択図】図２
2019218925.tif 000002
【特許請求の範囲】
【請求項１】
着ぐるみバッグの内部空間に入る人が装着し、前記着ぐるみバッグの給気口と接続される吸入口と、前記内部空間と接続される吐出口とが設けられているとともに、内部に羽根室が形成された本体ケースと、
前記羽根室内に回転可能に設けられ、回転によって前記吸入口から前記吐出口への送風を生じるファンと、
前記本体ケースに固定され、バッテリによって回転駆動されて前記ファンを回転させるモータとを備え、
外部の空気を前記給気口から前記吸入口及び前記吐出口を経て前記内部空間内に送風する送風式着ぐるみ用送風装置において、
前記本体ケースの少なくとも一部は、多孔質のプラスチックからなり、前記モータを支持可能な剛性を有する軽量剛性材であることを特徴とする送風式着ぐるみ用送風装置。
【請求項２】
前記バッテリは前記内部空間に入る人が装着するバッテリケースに内包され、
前記バッテリケースの少なくとも一部は前記軽量剛性材からなる請求項１記載の送風式着ぐるみ用送風装置。
【発明の詳細な説明】
【技術分野】
【０００１】
本発明は送風式着ぐるみ用送風装置に関する。
【背景技術】
【０００２】
特許文献１に従来の送風式着ぐるみが開示されている。この送風式着ぐるみは、マスコットキャラクターからなる着ぐるみバッグと、送風式着ぐるみ用送風装置（以下、送風装置という。）と、バッテリと、ホースとを備えている。着ぐるみバッグは、内部に人が入る内部空間が形成されているとともに、内部空間内でホースの一端が外部に向けて接続される給気口が形成されている。送風装置は、本体ケースと、ファンと、モータとを備えている。
【０００３】
本体ケースは着ぐるみバッグの内部空間に入る人が装着する。この本体ケースは、ホースによって着ぐるみバッグの給気口と接続される吸入口と、内部空間と接続される吐出口とが設けられている。また、本体ケースは、その内部に羽根室が形成されている。ファンは、羽根室内に回転可能に設けられている。ファンは、回転によって吸入口から吐出口への送風を生じさせる。モータは、本体ケースに固定されている。モータは、バッテリによって回転駆動されてファンを回転させる。バッテリも内部空間に入る人が装着する。
【０００４】
送風装置は、外部の空気を給気口から吸入口及び吐出口を経て、着ぐるみバッグの内部空間内に送風し、着ぐるみバッグを膨張させる。この状態で、内部空間内の人が様々な動作をすれば、着ぐるみバッグも同じ動作をする。このため、送風式着ぐるみは、マスコットキャラクターの外観により、例えばイベント等において、親しみ易さ、面白さ、癒し等の作用により、イベント等を盛り上げる。また、一般的な着ぐるみでは、内部空間内の人は様々な動作をして汗をかくことにより不快に感じるが、送風式着ぐるみでは、送風装置が外部の空気を内部空間内に取り入れているため、その人が感じる不快感を和らげることができる。
【先行技術文献】
【特許文献】
【０００５】
【特許文献１】実用新案登録第３１６４０２４号公報
【発明の概要】
【発明が解決しようとする課題】
【０００６】
しかし、上記従来の送風式着ぐるみに用いられていた送風装置は、本体ケースが金属製の材料によって構成されていたため、全体が重量化している。このため、着ぐるみバッグの内部空間内の人が送風装置を長時間装着したまま動き回る際、その人は送風装置の重量による負担感や疲労感を感じ易い。このため、その人の動きが鈍くなり、着ぐるみバッグの動きも鈍くなってしまう。そうすると、マスコットキャラクターが持つ親しみ易さ、面白さ、癒し等のイメージが損なわれてしまう。
【０００７】
本発明は、上記従来の実情に鑑みてなされたものであって、マスコットキャラクターのイメージを損ない難い送風式着ぐるみ用送風装置を提供することを解決すべき課題としている。
【課題を解決するための手段】
【０００８】
本発明の送風式着ぐるみ用送風装置は、着ぐるみバッグの内部空間に入る人が装着し、前記着ぐるみバッグの給気口と接続される吸入口と、前記内部空間と接続される吐出口とが設けられているとともに、内部に羽根室が形成された本体ケースと、
前記羽根室内に回転可能に設けられ、回転によって前記吸入口から前記吐出口への送風を生じるファンと、
前記本体ケースに固定され、バッテリによって回転駆動されて前記ファンを回転させるモータとを備え、
外部の空気を前記給気口から前記吸入口及び前記吐出口を経て前記内部空間内に送風する送風式着ぐるみ用送風装置において、
前記本体ケースの少なくとも一部は、多孔質のプラスチックからなり、少なくとも前記モータを支持可能な剛性を有する軽量剛性材であることを特徴とする。
【０００９】
本発明の送風式着ぐるみ用送風装置（以下、送風装置という。）は、本体ケースの少なくとも一部の軽量剛性材が多孔質のプラスチックとして軽量化されているとともに、少なくともモータを支持する。
【００１０】
このため、着ぐるみバッグの内部空間内の人が送風装置を長時間装着したまま動き回っても、その人は送風装置の重量による負担感や疲労感を感じ難い。このため、その人の動きが鈍くなり難く、着ぐるみバッグの動きも鈍くなり難い。このため、マスコットキャラクターが持つ親しみ易さ、面白さ、癒し等のイメージが存分に発揮される。
【００１１】
したがって、本発明の送風装置では、マスコットキャラクターのイメージを損ない難い。
【００１２】
バッテリは内部空間に入る人が装着するバッテリケースに内包され得る。このバッテリケースの少なくとも一部が軽量剛性材からなることが好ましい。この場合、内部空間に入る人が装着するバッテリ装置も従来より軽量化され、本発明の作用効果が顕著になる。
【発明の効果】
【００１３】
本発明の送付式着ぐるみ用送風装置では、マスコットキャラクターのイメージを損ない難い。
【図面の簡単な説明】
【００１４】
【図１】図１は、実施例１の送風式着ぐるみの模式断面図である。
【図２】図２は、実施例１の送風装置の模式拡大断面図である。
【図３】図３は、図２のＡ−Ａ断面を示す模式拡大断面図である。
【図４】図４は、実施例１のバッテリ装置の模式拡大断面図である。
【図５】図５は、実施例２の送風装置の模式拡大断面図である。
【発明を実施するための形態】
【００１５】
以下、本発明を具体化した実施例１、２を図面を参照しつつ説明する。
【００１６】
（実施例１）
図１に示すように、送風式着ぐるみは、着ぐるみバッグ１と、送風装置３と、バッテリ装置５と、ホース７とを備えている。
【００１７】
着ぐるみバッグ１には、内部に人Ｍが入る内部空間１Ａが形成されている。着ぐるみバッグ１の背面側の下部には、外部の空気を取り入れる給気口１Ｂが形成されている。着ぐるみバッグ１は、その外観がマスコットキャラクターからなる。着ぐるみバッグ１は、ボア生地から製作されている。なお。着ぐるみバッグ１は、ボア生地以外のナイロン生地等から製作されてもよい。
【００１８】
送風装置３は、人Ｍが背中に背負ったリュックサック９内に収納されている。人Ｍは、リュックサック９に連結される複数本のストラップ９Ａ、９Ｂを肩及び脇腹を介して腹側に回して連結させることにより、リュックサック９を背負っている。こうして、送風装置３は、着ぐるみバッグ１の内部空間１Ａに入る人Ｍがリュックサック９を背負うことで装着されている。
【００１９】
図２に示すように、送風装置３は、本体ケース１０と、ファン２０と、モータ３０とを備えている。
【００２０】
図２及び図３に示すように、本体ケース１０は、略円柱状に形成されている。本体ケース１０は、第１上壁１１と、第２上壁１２と、第１下壁１３と、第２下壁１４と、第１周壁１５と、第２周壁１６とから構成されている。これらによって、本体ケース１０の内部には羽根室１０Ａが形成されている。
【００２１】
第１上壁１１は無垢のプラスチック製板材である塩化ビニール製板材からなり、これは略円形の板状をなしている。第１下壁１３も塩化ビニール製板材からなり、これは略ドーナツ形の板状をなし、その外周が第１上壁１１の外周と同形をなし、その内周が第２周壁１６の内周と同形をなしている。第１周壁１５も塩化ビニール製板材からなり、これは略円筒形状をなし、図２の右側に図示される一部分を除き、第１上壁１１及び第１下壁１３の各外縁に接続している。第２周壁１６も塩化ビニール製板材からなり、これは円筒形状をなし、第１下壁１３の内縁に接続している。
【００２２】
第２上壁１２は多孔質のプラスチック製板材であるポリプロピレン製ダンボールからなる。第２上壁１２は、その外周が第１上壁１１の外周と同形である略円形状をなしている。第２上壁１２は、第１上壁１１の上面に接着剤により接着され、第１上壁１１と一体化されている。
【００２３】
また、第２下壁１４もポリプロピレン製ダンボールからなり、これは、略ドーナツ状をなし、その外周が第１上壁１１の外周と略同形であり、その内周が第２周壁１６の外周と同形をなしている。第２下壁１４は、第１下壁１３の下面に接着剤により接着され、第１下壁１３と一体化されている。こうして、第２上壁１２及び第２下壁１４が軽量剛性材からなる。
【００２４】
第２下壁１４の下面には、補強材４１、４３が設けられている。補強材４１は、ドーナツ形状をなし、第２周壁１６の外周面を囲むように設けられている。補強材４３は、ドーナツ形状をなし、第２周壁１６の外周面を囲むように設けられている。補強材４１、４３は、ねじ４５によって、第２下壁１４の下面に固定されている。
【００２５】
図２及び図３に示すように、本体ケース１０において、図２の右側に図示される一部分には、第１上壁１１、第１下壁１３及び第１周壁１５が短く右側に延びて筒状の吐出口１０Ｂが形成されている。吐出口１０Ｂ内には、異物や人の指が羽根室１０Ａ内に進入することを防止するメッシュ１７が嵌合されている。また、筒状の吐出口１０Ｂの外周には、吐出口１０Ｂを覆うように覆い部１８が設けられている。吐出口１０Ｂは、覆い部１８を介して、着ぐるみバッグ１の内部空間１Ａと接続されている。なお、吐出口１０Ｂは、リュックサック５に設けられた図示しない開口から突出して、内部空間１Ａと接続している。
【００２６】
図２に示すように、第２周壁１６には、円筒状の吸入口１６Ａが形成されている。吸入口１６Ａ内には、異物や人の指が羽根室１０Ａ内に進入することを防止するメッシュ１９が嵌合されている。なお、第２周壁１６は、リュックサック５に設けられた図示しない開口から突出している。
【００２７】
モータ３０は外観が円柱形状をなしている。モータ３０には、モータ３０の軸心に沿って下方に突出する回転軸３０Ａが設けられている。モータ３０は、本体ケース１０の第２周壁１６の軸心とモータ３０の軸心とが一致にするように、本体ケース１０の第２上壁１２に配置されている。モータ３０は第１上壁１１及び第２上壁１２によって支持されている。
【００２８】
回転軸３０Ａは、第１上壁１１及び第２上壁１２に設けられた開口１１Ａ、１２Ａを通じて、羽根室１０Ａ内に延びている。モータ３０のハウジングには、複数本のねじ３１が設けられている。モータ３０は、各ねじ３１によって第１上壁１１及び第２上壁１２に固定されている。
【００２９】
モータ３０は、図４に示すリード線３３によりバッテリ５Ａと電気的に接続されている。また、図１に示すように、モータ３０は、人Ｍの手元のスイッチ３５まで延びるリード線３７と接続されている。スイッチ３５は、送風装置３のＯＮ／ＯＦＦを切り替えるようになっている。なお、スイッチ３５は、モータ３０の回転数の調整もできるようになっていてもよい。
【００３０】
図２に示すように、ファン２０は、回転によって内周側から外周側に送風を行なうシロッコファンである。ファン２０は、回転軸３０Ａの下端に固定され、羽根室１０Ａ内で回転可能に設けられている。
【００３１】
図１に示すように、ホース７には、公知のフレキシブルホースが採用されている。ホース７の下端は、面ファスナ５１により、着ぐるみエアバッグ１の給気口１Ｂに着脱可能に接続されている。そして、ホース７は、給気口１Ｂから内部空間１Ａ内において、送風装置３に向かって延びている。
【００３２】
図２に示すように、ホース７の上端の外周面には、面ファスナ５３のメス部材５３Ａが固定されている。また、第２周壁１６の下端の外周面にも面ファスナ５３のメス部材５３Ｂが固定されている。面ファスナ５３のオス部材５３Ｃは、リュックサック５の底面に予め縫い付けられている。ホース７の上端は、メス部材５３Ａ、５３Ｂにオス部材５３Ｃが巻き付けられることにより、第２周壁１６の吸入口１６Ａに着脱可能に接続されている。こうして、図１及び図２に示すように、吸入口１６Ａは、ホース７を介して、着ぐるみバッグ１の給気口１Ｂと接続されている。
【００３３】
バッテリ５Ａは、図４に示すように、バッテリケース５Ｂに内包されている。バッテリケース５Ｂも、多孔質のプラスチック製板材であるポリプロピレン製ダンボールからなる。内部空間１Ａ内の人Ｍは、バッテリケース５Ｂ及びバッテリ５Ａからなるバッテリ装置５をその腹側に収納している。
【００３４】
以上のように構成された送風式着ぐるみでは、内部空間１Ａ内の人Ｍがスイッチ３５をＯＮ操作すると、モータ３０がバッテリ５Ａによって回転駆動され、ファン２０が回転する。そうすると、ホース７を介して外部の空気が給気口１Ｂから吸入口１６Ａ及び吐出口１０Ｂを経て、内部空間１Ａ内に送風され、着ぐるみバッグ１の内部空間１Ａに外部の空気が送風され、着ぐるみバッグ１はバルーンのように大きく膨張する。
【００３５】
この状態で、人Ｍが様々な動作をすれば、着ぐるみバッグ１も同じ動作をする。このため、送風式着ぐるみは、マスコットキャラクターの外観により、例えばイベント等において、親しみ易さ、面白さ、癒し等の作用により、イベント等を盛り上げる。また、この送風式着ぐるみでは、送風装置３が外部の空気を内部空間１Ａ内に取り入れているため、その人が感じる不快感を和らげることができる。
【００３６】
この間、この送風装置３は、本体ケース１０の一部がポリプロピレン製ダンボールからなるとして軽量化されているとともに、モータ３０及びホース７を支持している。また、バッテリ５Ａがポリプロピレン製ダンボールからなるバッテリケース５Ｂに内包されているため、バッテリ装置５も従来より軽量化されている。
【００３７】
このため、着ぐるみバッグ１の内部空間１Ａ内の人が送風装置３を長時間装着したまま動き回っても、その人は送風装置３の重量による負担感や疲労感を感じ難い。このため、その人Ｍの動きが鈍くなり難く、着ぐるみバッグ１の動きも鈍くなり難い。このため、マスコットキャラクターが持つ親しみ易さ、面白さ、癒し等のイメージが存分に発揮される。
【００３８】
したがって、この送風装置３では、マスコットキャラクターのイメージを損ない難い。
【００３９】
（実施例２）
図５に示すように、実施例２の送風装置４では、本体ケース６０のほとんどが多孔質のプラスチック製板材からなる。この多孔質のプラスチック製板材は、実施例１のポリプロピレン製ダンボールと同等に軽量でありながら、モータ３０及びホース７を支持できる強度を有している。他の構成は実施例１と同様である。実施例１と同一の構成については、同一の符号を付して説明を省略する。
【００４０】
実施例２の送風装置４では、本体ケース６０がより軽量化されているため、より顕著な作用効果を奏する。
【００４１】
以上において、本発明を実施例１、２に即して説明したが、本発明は上記実施例１、２に制限されるものではなく、その趣旨を逸脱しない範囲で適宜変更して適用できることはいうまでもない。
【００４２】
例えば、多孔質のプラスチックとしては、ポリプロピレン製ダンボールの他、発泡ポリスチレン製板材、発泡ポリウレタン製板材等を採用することができる。本体ケースが軽量剛性材だけではモータを支持し難い場合には、塩化ビニール等の無垢のプラスチック製板材等を一体化することが可能である。本体ケースにホースの他端が固定される場合には、軽量剛性材によってホースも支持可能とすることが好ましい。
【符号の説明】
【００４３】
１…着ぐるみバッグ
１Ａ…内部空間
１Ｂ…給気口
３、４…送風式着ぐるみ用送風装置
５Ａ…バッテリ
５Ｂ…バッテリケース
５…バッテリ装置
１０、６０…本体ケース
１０Ａ…羽根室
１０Ｂ…吐出口
１６Ａ…吸入口
２０…ファン
３０…モータ
Ｍ…人
【図１】
2019218925.tif 000003
【図２】
2019218925.tif 000004
【図３】
2019218925.tif 000005
【図４】
2019218925.tif 000006
【図５】
2019218925.tif 000007
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
着ぐるみバッグの内部空間に入る人が装着し、前記着ぐるみバッグの給気口と接続される吸入口と、前記内部空間と接続される吐出口とが設けられているとともに、内部に羽根室が形成された本体ケースと、
前記羽根室内に回転可能に設けられ、回転によって前記吸入口から前記吐出口への送風を生じるファンと、
前記本体ケースに固定され、バッテリによって回転駆動されて前記ファンを回転させるモータとを備え、
外部の空気を前記給気口から前記吸入口及び前記吐出口を経て前記内部空間内に送風する送風式着ぐるみ用送風装置において、
前記給気口と前記吸入口とはホースによって接続され、
前記本体ケースは、略ドーナツ状をなして前記ホースが固定され、前記人が装着して下方に位置する下壁を有し、
前記下壁は、無垢のプラスチック製板材からなる第１下壁と、前記第１下壁と一体化され、多孔質のプラスチック製板材からなる第２下壁とからなり、前記第１下壁及び前記第２下壁は、前記人が動作をすることによって前記着ぐるみバッグが動作をして長時間動き得る前記ホースを支持していることを特徴とする送風式着ぐるみ用送風装置。
【請求項２】
着ぐるみバッグの内部空間に入る人が装着し、前記着ぐるみバッグの給気口と接続される吸入口と、前記内部空間と接続される吐出口とが設けられているとともに、内部に羽根室が形成された本体ケースと、
前記羽根室内に回転可能に設けられ、回転によって前記吸入口から前記吐出口への送風を生じるファンと、
前記本体ケースに固定され、バッテリによって回転駆動されて前記ファンを回転させるモータとを備え、
外部の空気を前記給気口から前記吸入口及び前記吐出口を経て前記内部空間内に送風する送風式着ぐるみ用送風装置において、
前記本体ケースは、略円形の板状をなして前記モータが固定され、前記人が装着して上方に位置する上壁を有し、
前記上壁は、無垢のプラスチック製板材からなる第１上壁と、前記第１上壁と一体化され、多孔質のプラスチック製板材からなる第２上壁とからなり、前記第１上壁及び前記第２上壁は、前記人が動作をすることによって長時間動き得る前記モータを支持していることを特徴とする送風式着ぐるみ用送風装置。
【請求項３】
前記バッテリは前記内部空間に入る人が装着するバッテリケースに内包され、
前記バッテリケースの少なくとも一部は多孔質のプラスチック製板材からなる請求項１又は２記載の送風式着ぐるみ用送風装置。
【手続補正２】
【補正対象書類名】明細書
【補正対象項目名】０００８
【補正方法】変更
【補正の内容】
【０００８】
本発明の送風式着ぐるみ用送風装置は、着ぐるみバッグの内部空間に入る人が装着し、前記着ぐるみバッグの給気口と接続される吸入口と、前記内部空間と接続される吐出口とが設けられているとともに、内部に羽根室が形成された本体ケースと、
前記羽根室内に回転可能に設けられ、回転によって前記吸入口から前記吐出口への送風を生じるファンと、
前記本体ケースに固定され、バッテリによって回転駆動されて前記ファンを回転させるモータとを備え、
外部の空気を前記給気口から前記吸入口及び前記吐出口を経て前記内部空間内に送風する送風式着ぐるみ用送風装置において、
前記給気口と前記吸入口とはホースによって接続され、
前記本体ケースは、略ドーナツ状をなして前記ホースが固定され、前記人が装着して下方に位置する下壁を有し、
前記下壁は、無垢のプラスチック製板材からなる第１下壁と、前記第１下壁と一体化され、多孔質のプラスチック製板材からなる第２下壁とからなり、前記第１下壁及び前記第２下壁は、前記人が動作をすることによって前記着ぐるみバッグが動作をして長時間動き得る前記ホースを支持していることを特徴とする。
また、本発明の送風式着ぐるみ用送風装置は、前記本体ケースは、略円形の板状をなして前記モータが固定され、前記人が装着して上方に位置する上壁を有し、
前記上壁は、無垢のプラスチック製板材からなる第１上壁と、前記第１上壁と一体化され、多孔質のプラスチック製板材からなる第２上壁とからなり、前記第１上壁及び前記第２上壁は、前記人が動作をすることによって長時間動き得る前記モータを支持していることを特徴とする。
【手続補正３】
【補正対象書類名】明細書
【補正対象項目名】０００９
【補正方法】変更
【補正の内容】
【０００９】
本発明の送風式着ぐるみ用送風装置（以下、送風装置という。）は、本体ケースの第２下壁が多孔質のプラスチックとして軽量化されているとともに、第１下壁及び第２下壁は、人が動作をすることによって着ぐるみバッグが動作をして長時間動き得るホースを支持し、第１上壁及び第２上壁は、人が動作をすることによって長時間動き得るモータを支持する。
【手続補正４】
【補正対象書類名】明細書
【補正対象項目名】００１２
【補正方法】変更
【補正の内容】
【００１２】
バッテリは内部空間に入る人が装着するバッテリケースに内包され得る。このバッテリケースの少なくとも一部が多孔質のプラスチック製板材からなることが好ましい。この場合、内部空間に入る人が装着するバッテリ装置も従来より軽量化され、本発明の作用効果が顕著になる。
【手続補正５】
【補正対象書類名】明細書
【補正対象項目名】００１４
【補正方法】変更
【補正の内容】
【００１４】
【図１】図１は、実施例１の送風式着ぐるみの模式断面図である。
【図２】図２は、実施例１の送風装置の模式拡大断面図である。
【図３】図３は、図２のＡ−Ａ断面を示す模式拡大断面図である。
【図４】図４は、実施例１のバッテリ装置の模式拡大断面図である。
【図５】図５は、参考例の送風装置の模式拡大断面図である。
【手続補正６】
【補正対象書類名】明細書
【補正対象項目名】００１５
【補正方法】変更
【補正の内容】
【００１５】
以下、本発明を具体化した実施例１を図面を参照しつつ説明する。
【手続補正７】
【補正対象書類名】明細書
【補正対象項目名】００２３
【補正方法】変更
【補正の内容】
【００２３】
また、第２下壁１４もポリプロピレン製ダンボールからなり、これは、略ドーナツ状をなし、その外周が第１上壁１１の外周と略同形であり、その内周が第２周壁１６の外周と同形をなしている。第２下壁１４は、第１下壁１３の下面に接着剤により接着され、第１下壁１３と一体化されている。こうして、第２上壁１２及び第２下壁１４が多孔質のプラスチック製板材からなる。
【手続補正８】
【補正対象書類名】明細書
【補正対象項目名】００３９
【補正方法】変更
【補正の内容】
【００３９】
（参考例）
図５に示すように、参考例の送風装置４では、本体ケース６０のほとんどが多孔質のプラスチック製板材からなる。この多孔質のプラスチック製板材は、実施例１のポリプロピレン製ダンボールと同等に軽量でありながら、モータ３０及びホース７を支持できる強度を有している。他の構成は実施例１と同様である。実施例１と同一の構成については、同一の符号を付して説明を省略する。
【手続補正９】
【補正対象書類名】明細書
【補正対象項目名】００４０
【補正方法】変更
【補正の内容】
【００４０】
参考例の送風装置４では、本体ケース６０がより軽量化されているため、より顕著な作用効果を奏する。
【手続補正１０】
【補正対象書類名】明細書
【補正対象項目名】００４１
【補正方法】変更
【補正の内容】
【００４１】
以上において、本発明を実施例１に即して説明したが、本発明は上記実施例１に制限されるものではなく、その趣旨を逸脱しない範囲で適宜変更して適用できることはいうまでもない。
【手続補正１１】
【補正対象書類名】明細書
【補正対象項目名】００４２
【補正方法】変更
【補正の内容】
【００４２】
例えば、多孔質のプラスチックとしては、ポリプロピレン製ダンボールの他、発泡ポリスチレン製板材、発泡ポリウレタン製板材等を採用することができる。本体ケースが多孔質のプラスチック製板材だけではホースやモータを支持し難い場合には、塩化ビニール等の無垢のプラスチック製板材等を一体化する。